Podtech/llm-jp-corpus-v4-ja_patent huggingface dataset:
(57)【要約】      （修正有）【課題】普通時は、床下の車輪が下降し、キャタビラを浮かせ、車輪で、前、後、に自由に走行でき、災害時、緊急時、長時間作業時等には、衛生的で、休息、食事がとれ、現場へ即、移動可能な回転式除雪車を提供する。【解決手段】前面部に、２枚羽根の除雪機７を備え、運転室の後に、水洗便所１０、寝室、食事室、除雪道具スコップ、シャベル等を含む収納スペース８を有し、汚水放出用ホース収納スペース９を備え、車体本体が、左右に１回転出来、天井に貯水槽４と床下部に汚水槽１８と電源部を備え、汚水放出用ホースを備え、移動方法は、キャタビラ２３、車輪２２両用で、除雪時は、キャタビラ走行で、車輪は、昇降機２１を介して除雪車の床下に収納されている。【選択図】図１
0003216748.tif 000002
【実用新案登録請求の範囲】
【請求項１】
前面部に、２枚羽根の回転式除雪機を備え及び、運転室の後に、水洗便所等、寝室等、食事室等、除雪道具スコップ、シャベル等を含む収納スペースを有し、最後尾に汚水放出用ホース収納スペースを備え、車体本体が、左右に１回転出来、天井に貯水槽と床下部に汚水槽と電源部を備え、汚水放出用ホウスを備え、移動方法は、キャタビラ、車輪両用で、除雪時は、キャタビラ走行で、車輪は、除雪車の床下に収納されている、普通時の走行は、除雪車の床下の車輪が下降し、キャタビラを浮かせ、車輪で、前、後に自由に走行できる、回転式除雪車
【考案の詳細な説明】
【技術分野】
【０００１】本考案は、災害時、緊急時、長時間作業時等に、衛生的で、休息、食事が取れ現場へ即、移動可能な回転式除雪車である、
【背景技術】
【０００２】前面部に、２枚羽根の除雪機を備え、運転室の後に、水洗便所等、寝室等、食事室等、除雪道具スコップ、シャベル等を含む収納スペースを有し、最後尾に汚水放出用ホース収納スペースを備え、移動方法は、キャタビラ、車輪両用で、除雪時は、キャタビラ走行で、車輪は、除雪車の床下の車輪が下降し、キャタビラを浮かせ、車輪で、前、後に  自由に走行出来る、災害時、緊急時、長時間作業時等に、衛生的で、休息、食事が取れ、現場へ即、移動可能な回転式除雪車である、
【先行技術文献】
【特許文献】
【０００３】
【特許文献１】特開  ２００６−３２８９１２号公報
【考案の概要】
【考案が解決しようとする課題】
【０００４】以上に述べた従来の除雪車は、移動可能な、シェルターで、あって、移住空間、水洗トイレ汚水槽、貯水槽、発電機、排水槽を有している物が、開示されている、本考案は、前面部に、２枚羽根の回転式除雪機を備え、運転室の後に、水洗便所等、寝室等、食事室等、除雪道具スコップ、シャベル等を含む収納スペースを有し、最後尾に汚水放出ホース収納スペースを備え、車体本体が、左右に１回転出来、天井に貯水槽と床下部に汚水槽と電源部を備え、汚水放出用ホースを備え、移動方法は、キャタビラ、車輪両用で、除雪時は、キャタビラ走行で、車輪は、除雪車の床下に収納されている、普通時の走行は、除雪車の床下の車輪が下降し、キャタビラを浮かせ、前、後に、自由に走行できる、回転式除雪車で、災害時、緊急時、長時間に渡る作業時等の時に衛生的で、休息も、食事も、とれる多いに期待される回転式除雪車である、
【課題を解決するための手段】本考案は、前面部に、２枚羽根の回転式除雪機を備え及び、運転室の後に、水洗便所等、寝室等、食事室等、除雪道具スコップ、シャベル等を含む収納スペースを有し、最後尾に汚水放水用ホース収納スペースを備え、車体本体が、左右に１回転出来、天井に貯水槽と床下部に、汚水槽と電源部を備え、汚水放出用ホースを備え、移動方法は、キャタビラ、車輪両用で、除雪時は、キャタビラ走行で、車輪は、除雪車の床下に収納されている、普通時の走行は、除雪車の床下に収納されている
【図面の簡単な説明】
【図１】除雪車、横全体図
【図２】除雪車、キャタビラ  走行時の横全体図
【図３】除雪車、車両  走行時の横全体図
【図４】除雪車、キャタビラ  走行時の正面から見た図
【図５】除雪車、車両  走行時の正面から見た図
【図６】除雪車、後部から見た図
【符合の説明】
１  防止柵
２  天井前面上  日差し型除雪  フロントカバー
３  天井水  注入口  蓋  栓
４  天井部  除菌  殺菌液入り洗浄用貯水槽
５  前  全面下照らす照明機２燈
６  全面フロントガラス
７  ２枚羽根式  回転除雪車と除雪放出口
８  運転室と乗降口  運転室の後が水洗便所  乗降口  寝室  食事室  除雪道具スコップ    シャベル等収納場所
９  汚水放出口  放出用ホース収納部
１０  水洗便所  上蓋  本体
１１  出入り口  取手  寝室へ続く
１２  天井照明
１３  洗浄水送水管
１４  鏡
１５  トイレットペイパー
１６  洗面所
１７  寝室  食卓  炊事場  物入れ  長椅子兼  寝台室  除雪道具収納場所
１８  床下部汚水槽
１９  車体回転式動力収納場所
２０  動力収納場所  動力燃料収納場所  発電機収納場所
２１  左右車輪下降機  （空気圧式）
２２  左右車輪
２３  左右
【図１】
0003216748.tif 000003
【図２】
0003216748.tif 000004
【図３】
0003216748.tif 000005
【図４】
0003216748.tif 000006
【図５】
0003216748.tif 000007
【図６】
0003216748.tif 000008
(57)【要約】【課題】  建築物の屋根構造に関し、建築コストの低減を図るとともに、十分な強度と雪対策効果を得ることができる片流れ屋根構造を提供する。【解決手段】  片流れ屋根構造は、建築物の屋根構造であって、建築物の正面最上端に沿って横設した大棟１から該建築物背面土台２までの間を一連に屋根組し、上方から下方に向かって略弧状に屋根勾配を形成すると共に、この屋根面全体を屋根材３で被覆し、且つ、該建築物背面に外壁面を設けない構造で軸組と一体に構成し、建築コストの低減と、十分な強度と雪対策効果を得ることができるようにしたことを特徴とした。【選択図】図１
0003216750.tif 000002
【実用新案登録請求の範囲】
【請求項１】
片流れ屋根構造は、建築物の屋根構造であって、建築物の正面最上端に沿って横設した大棟から該建築物背面土台までの間を一連に屋根組し、上方から下方に向かって略弧状に屋根勾配を形成すると共に、この屋根面全体を屋根材で被覆し、且つ、該建築物背面に外壁面を設けない構造で軸組と一体に構成し、建築コストの低減と、十分な強度と雪対策効果を得ることができるようにしたことを特徴とする片流れ屋根構造。
【考案の詳細な説明】
【技術分野】
【０００１】  本考案は、建築物の屋根構造に関し、詳しくは片流れ屋根構造に関する。
【背景技術】
【０００２】  従来より、建築物の片流れ屋根構造は、既に広く普及しており、工場や倉庫、一般住宅にも多く採用されている。【０００３】  しかしながら、従来の一般的な片流れ屋根構造のままでは建築物に於いて建築コストの低減が難しく、また、近年、強風や豪雪など自然災害による屋根破損等の被害が増えていることも気になるところである。
【先行技術文献】
【特許文献】
【０００４】
【特許文献１】意匠登録第１２９８４７６号公報
【考案の概要】
【考案が解決しようとする課題】
【０００５】  本考案は、建築物の屋根構造に関し、建築コストの低減を図るとともに、十分な強度と雪対策効果を得ることができる片流れ屋根構造を提供しようとするものである。
【課題を解決するための手段】
【０００６】  片流れ屋根構造は、建築物の屋根構造であって、建築物の正面最上端に沿って横設した大棟１から該建築物背面土台２までの間を一連に屋根組し、上方から下方に向かって略弧状に屋根勾配を形成すると共に、この屋根面全体を屋根材３で被覆し、且つ、該建築物背面に外壁面を設けない構造で軸組と一体に構成し、建築コストの低減と、十分な強度と雪対策効果を得ることができるようにしたことを特徴とした。
【考案の効果】
【０００７】  本考案によれば、屋根構造に伴い建築物背面に外壁面を設けない構造となることから建築コスト低減の効果が期待できる。【０００８】また、本考案の片流れ屋根構造は丸みを帯びた屋根形状であることから、耐風性・耐積雪性効果が期待できる。
【図面の簡単な説明】
【０００９】
【図１】  本考案に於ける片流れ屋根構造の説明図である。
【図２】  本考案に於ける片流れ屋根構造の建築物の正面図である。
【図３】  本考案に於ける片流れ屋根構造の建築物の背面図である。
【考案を実施するための形態】
【００１０】  以下、本考案の実施の形態について、図面を参照して説明する。
図１・図２・図３に示すように、片流れ屋根構造は、建築物の屋根構造であって、建築物の正面最上端に沿って横設した大棟１から該建築物背面土台２までの間を一連に屋根組し、上方から下方に向かって略弧状に屋根勾配を形成すると共に、この屋根面全体を屋根材３で被覆し、且つ、該建築物背面に外壁面を設けない構造で軸組と一体に構成し、建築コストの低減と、十分な強度と雪対策効果を得ることができるようにしたことを特徴とした。
【符号の説明】
【００１１】    １    大棟
２    土台
３    屋根材
【図１】
0003216750.tif 000003
【図２】
0003216750.tif 000004
【図３】
0003216750.tif 000005
(57)【要約】      （修正有）【課題】下着のようにいつも着用できる吊り下げ用装着帯を提供する。【解決手段】パンツとランニングシャツとが上下につながれた下着の肩掛け部分を切り離し、離した生地片で背中側の短い生地片に開けた穴に胸側の長い紐生地を差し入れし、その長い紐生地の先端部の穴に吊り下げ用のフックを掛けて吊り下げできる吊り下げ用下着装着帯を洋裁し、さらに足裏から大腿部までの長い靴下状生地を足先部分とかかと部分とふくらはぎ部分と向う脛部分とを切り捨てた形状の上端で二つに分かれた膝部分の一方の短い生地片Ｍの穴ＭＡ内に通す他の一方の長い生地片Ｎの先端部の穴ＮＡに膝紐のフックを掛けられる膝関節装着帯Ａと吊り下げ用下着装着帯とにハイテク繊維糸を縫い走らせて強靭にした。【選択図】図１
0003216729.tif 000002
【実用新案登録請求の範囲】
【請求項１】
足裏から大腿部までの長い靴下状生地は足先部分とかかと部分とふくらはぎ部分と向う脛部分とを切り捨てた形状の上端で膝部分の二つに分かれた一方の短い生地片の穴内に通す他の一方の長い生地片の先端部の穴にハンドルパイプの両端部から吊り下がる膝紐のフックを掛ける事で両膝双方に膝関節装着帯を締め留めし、さらに陰部箇所を切り捨て削除させたパンツとランニングシャツとを上下に一体化する吊り下げ用下着の肩掛け部分の左右それぞれを肩上で切り離し、切り離した背中側の短い生地片の穴に胸側の長い紐生地を差し入れし、入れた左右それぞれの長い紐生地の先端部の穴に矢倉パイプから吊り下がるフックを掛けて吊り上げできる吊り下げ用下着生地と膝関節装着帯とに多数のハイテク繊維糸を縫い走らせて強靭にする膝関節帯と吊り下げ用下着装着帯。
【考案の詳細な説明】
【技術分野】
【０００１】
本考案は、車椅子にいつも座る為に血流が悪く両足の神経網の範囲が減少傾向になり、その減少を防止する為に激しいリハビリ等で血流を良くする事で神経網と毛細血管とを増やし、その血流が良くなる為のリハビリ歩行器を使用する場合の体に付ける膝関節装着帯と吊り下げ用下着装着帯に関する分野。
【背景技術】
【０００２】
車椅子を使用する15歳以下の人の細胞は高い再生能力が期待される、しかし毎年毎年毎日毎日10時間前後を座った状態なので足の血流は停滞状況であり、停滞状況の血流を良くする為のリハビリ歩行器を使用する為に着心地の良い下着としての装着帯の開発が希望されている。
【考案の概要】
【考案が解決しようとする課題】
【０００３】
被介護者が自身の身体を移動させる為に天井裏内の身体移動機から吊り下がる紐を自身の装着帯に取り付ける又はリハビリ歩行器の矢倉パイプから吊り下がる紐を自身の装着帯に取り付ける等の場合、その装着帯をパンツとランニングシャツとから洋裁する吊り下げ用下着のようにいつも身体に付ける必要があり、さらに両手の力でリハビリ歩行器のハンドルパイプを掴む両手を交互に激しく上下させてハンドルパイプの左右につながる両膝関節を上下させて足踏みできる膝関節装着帯が求められた。
【課題を解決するための手段】
【０００４】
上記目的を達成するために、足裏から大腿部までの長い靴下状生地の足先部分とかかと部分とふくらはぎ部分と向う脛部分とを切り捨てし、その長い靴下状生地の二つに分かれた膝部分で一方の短い生地片の穴内に通す他の一方の長い生地片の先端部分の穴内にハンドルパイプの両端部双方から吊り下がる膝紐のフックを掛けて吊り下げる事で膝関節に締め留めできるようにする膝関節装着帯。
【０００５】
陰部箇所を切り捨てたパンツ部分とランニングシャツ部分とを上下に一体化させた吊り下げ用下着生地の肩掛け部分の左右それぞれを肩上で切り離し、離した左右双方で背中側の短い生地片の穴に胸側の長い生地片を差し入れて両肩上に伸ばし、長い生地片の先端部の穴に矢倉パイプから吊り下がるフックを掛ける事ができる吊り下げ用下着生地と膝関節装着帯とに多数のハイテク繊維糸を縫い走らせて強靭にする膝関節帯と吊り下げ用下着装着帯。
【考案の効果】
【０００６】
吊り下げ用装着帯は図2のようにいつも着用する下着なので便所やリハビリや寝台や車椅子等で身体を移動させる場合に容易に身体移動機が利用できる、さらに膝関節装着帯は足裏から膝までが一体なので足踏み等で起こり得る足首のねんざを防げる。
【図面の簡単な説明】
【０００７】
【図１】図1は膝関節帯の斜視図。
【図２】図2は下着としていつも着用した状態の吊り下げ用装着帯の正面図。
【図３】図3は吊り下げ用装着帯で吊り下がる状態の正面図。
【図４】図4は膝関節帯と吊り下げ用装着帯とを着けて特願2018−26609のリハビリ歩行器を利用する状態の側面図。
【考案を実施するための形態】
【０００８】
本考案の一実施形態を説明する、足裏から大腿部までの長い靴下状生地は足先部分とかかと部分とふくらはぎ部分と向う脛部分とを切り捨てし、その長い靴下状生地の二つに分かれた膝部分で一方の短い生地片Mの穴MA内に他の一方の長い生地片Nを通し、通した長い生地片Nの先端部分の穴NA内にハンドルパイプHの両端部双方から吊り下がる膝紐ZのフックFを掛けて吊り下げる事で膝関節を締め留めできるようにする膝関節装着帯A。
【０００９】
陰部箇所を切り捨てたパンツ部分Pとランニングシャツ部分Rとを上下に一体化する吊り下げ用下着生地の肩掛け部分の左右双方を肩上で切り離し、切り離した左右双方で背中側の短い生地片Sの穴SAに胸側の長い紐生地Eを差し入れし、入れて両肩上に伸ばす長い紐生地Eの先端部の穴EAに矢倉パイプから吊り下がる吊り下げフックTFを掛けて吊り下げできる吊り下げ用下着生地と膝関節装着帯Aとに多数のハイテク繊維糸を縫い走らせて強靭にする膝関節装着帯A帯と吊り下げ用下着装着帯。
【産業上の利用可能性】
【００１０】
毎日10時間前後を座った状態の車椅子の12歳以下の人を毎日毎日8時間以上足踏みさせる事で歩ける子供がいるような気がし、そのリハビリ歩行器と装着帯とで60万円はする費用を全国にインターネットで募金し12歳以下の子供それぞれの家の一室に無料で設置する事を希望した。
【符号の説明】
【００１１】
M    短い生地片
MA  短い生地片の穴
N    長い生地片
NA  長い生地片の先端部の穴
A    膝関節装着帯
H    ハンドルパイプ
Z    膝紐
F    膝紐のフック
P    吊り下げ用下着生地のパンツ部分
R    吊り下げ用下着生地のランニングシャツ部分
S    吊り下げ用下着生地を肩上で切り離した背中側の短い生地片
SA  背中側の短い生地片の穴
E    胸側の長い紐生地
EA  胸側の長い紐生地の先端部の穴
Q    長い紐生地の先端部の穴を留めるボタン
TF  吊り下げ用フック
【図１】
0003216729.tif 000003
【図２】
0003216729.tif 000004
【図３】
0003216729.tif 000005
【図４】
0003216729.tif 000006
(57)【要約】      （修正有）【課題】作業の効率化のために役立つ簡易ミニクレーン設置用主柱付きトラックを提供する。【解決手段】トラックの荷台と運転席用のキャビンの境目にある柵の両外側に設置されている主柱１を円柱状のパイプにする事によって、簡易ミニクレーン４を簡単に装着できる。【選択図】図３
0003216728.tif 000002
【実用新案登録請求の範囲】
【請求項１】
本案はトラックの運転席と荷台の境目にある柵の両外側にある柱を円柱のパイプにしたことを特徴とする。簡易ミニクレーン設置用主柱付きトラック。
【考案の詳細な説明】
【技術分野】
【０００１】  本案はトラック設置用の簡易ミニクレーンを簡単に設置出来るようにその為の主柱を車体の一部としてあらかじめ荷台に設置したトラックの考案である。
【背景技術】
【０００２】従来  トラックに簡易ミニクレーンを設置しようとした場合その主柱となる柱を強固に設置する為にトラックの荷台に穴を開けてボルト締めしたり、溶接したり荷台を傷つける事になったり、また主柱を設置することにより荷台のスペースが狭くなる問題があり。一度設置した柱等を除去するのも面倒であった。そのため作業の効率化に役立つ  簡易ミニクレーンを装着したくても、面倒でする事はほとんどなかった。
【考案の明示】
【考案が解決しようする課題】
【０００３】トラックの荷台を傷つけ加工をする事なく、余分な柱を設置することなく簡易ミニクレーンが手軽に簡単に強固に設置出来るようにすることを目的とする。
【課題を解決するための手段】
【０００４】本案はトラックの運転席用のキャビンと荷台の境に設置されている柵の両外側に設置されている柱をのパイプ状の主柱（１）にする、主柱（１）の下部内部に設置されたジャッキ（２）の突起部を誘導溝（３）に沿って上下方向にスライドできるようにし上下にカギ部を設け横方向にスライドさせジャッキ（２）を固定出来るようにしたことを特徴とする簡易ミニクレーン設置用主柱付きトラック
【考案の効果】
【０００５】本案は元より強固に主柱が設置されているので、使いたい時に簡単に簡易ミニクレーンが設置  収納出来、作業の効率化に役立つ。
【考案を実施するための最良の形態】
【０００６】本案を使用する時は  簡易ミニクレーン（４）側の円形の回転軸を  トラック側の円形の主柱（１）に上から被せるように差し込み、トラック側の主柱（１）の下部内部に設置されたジャッキ（２）を下方に誘導溝（３）に沿って下方におろし横方向にスライドさせ固定し、簡易ミニクレーン（４）を使って人力では持てないような物を荷台に積み卸しする。収納する時も  簡易ミニクレーン（４）を上に持ち上げて外すだけで良く、多くのトラックにあらかじめ装備されていれば  とても面倒な主柱設置の加工を行う事無く  車体の一部として強固に装備されていれば作業の効率化に役立つ。
【図面の簡単な説明】
【０００７】
【図１】  本考案の側面図
【図２】  本考案の後面図
【図３】  本考案の使用時側面図
【０００８】  １  主柱
２  ジャッキ
３  誘導溝
４  簡易ミニクレーン
【図１】
0003216728.tif 000003
【図２】
0003216728.tif 000004
【図３】
0003216728.tif 000005
(57)【要約】      （修正有）【課題】花瓶の口径に拘わらず生け花をバランス良く止めることを可能にした生け花支持具を提供する。【解決手段】帯状にした薄い（厚０．２ｍｍ程度）プラスチックシート１に複数の切れ目３と折り目２を施し蛇腹状に折り畳み、両端部４、４’を連結させて輪環とし、花瓶内に菊形放射状になるように入れる。【選択図】図１
0003216721.tif 000002
【実用新案登録請求の範囲】
【請求項１】
薄い（厚０．２ｍｍ程度）プラスチックシートを帯状にし、複数の切れ目を施して蛇腹に折り畳み、その両端部を連結させて輪環とし、花瓶内に菊形放射状になるように入れることで、花や植物を止めるところを特徴とする生け花支持具。
【考案の詳細な説明】
【技術分野】
【０００１】本考案は、帯状のプラスチックシートを輪環にした生け花支持具に関するものである。
【背景技術】
【０００２】生け花の量に適合した口径の花瓶に直接挿すか、口径が大きい場合は剣山や既製の保持具を用いて花を生けていた。
【先行技術文献】
【特許文献】
【０００３】
【特許文献１】特開２０１６−０５４９４３号  公報
【０００４】
【特許文献２】実用新案登録第３１６８２９１号  公報
【考案の概要】
【考案が解決しようとする課題】
【０００５】生け花は、剣山や既製の保持具を用いない限り、花の量に適応した口径の花瓶を使用する必要がある。特に、少ない量の花を口径の大きい花瓶に生ける場合、花がバラバラになり、バランス良い位置に生けることが困難となる。本考案は、これらの欠点を解決しようとするものである。
【課題を解決するための手段】
【０００６】本考案は、柔軟な素材である帯状プラスチックシートを蛇腹状にした物を使用し、これを輪環とし、花瓶内に菊形放射状に設置することで花の差込口とし、花瓶の口径、形に制限されないフレキシブルな生け花支持具とすることで問題点を解決している。
【考案の効果】
【０００７】上述の様に、本考案により花の量に見合った口径の花瓶を用意する必要は無くなり、また、花瓶の口径、形に柔軟に対応できる蛇腹状プラスチックシートを材料としているので、花瓶の種類を選ぶことなく生け花を見栄えよく生けるための支持具として役立つ。また、本考案の帯状プラスチックシートは一定の高さがあることから、長短バラバラの草花も受け止めやすいという効果を持つ。
【図面の簡単な説明】
【０００８】
【図１】本考案の生け花支持具の一実施例を示す、連結前シートの展開図である。
【図２】シート連結後の、結合部を内側に向けた本生け花支持具の姿図である。
【図３】シート連結後の、結合部を外側に向けた本生け花支持具の姿図である。
【考案を実施するための形態】
【０００９】薄いプラスチックシートを帯状とした物を横方向に等間隔で互い違いに折り畳み蛇腹状とする。ここで出来た折り目に沿ってシート幅の２分の１まで切れ目を施す。この時、切れ目は上半分、下半分の交互の順とする。但し、両端部の切れ目は、横方向等間隔の２分の１として、上、下異なるものとする。これら両端部の切れ目どうしを組み合わせることでシートを連結して輪環とする。この輪環を花瓶に菊形放射状に設置することで生け花支持具となる。
【実施例】
【００１０】以下、添付図面に従って一実施例を説明する。
１は帯状プラスチックシート本体である。２は等間隔の折り目であり、これを互い違いに折り畳むことでシートは蛇腹状となる。３はシート幅の２分の１まで上下交互に施した切れ目である。４、４’は左右端部の上下に異なる切れ目であり、これら切れ目どうしを組み合わせることでシートは輪環となる。
【符号の説明】
【００１１】１    プラスチックシート
２    折り目
３    切れ目
４    右端部切れ目差込口
４’  左端部切れ目差込口
【図１】
0003216721.tif 000003
【図２】
0003216721.tif 000004
【図３】
0003216721.tif 000005
【手続補正書】
【提出日】平成30年3月23日(2018.3.23)
【手続補正１】
【補正対象書類名】実用新案登録請求の範囲
【補正対象項目名】請求項１
【補正方法】変更
【補正の内容】
【請求項１】
厚さ０．２ｍｍ程度のプラスチックシートを帯状にし、複数の切れ目を施して蛇腹に折り畳み、その両端部を連結させて輪環とし、花瓶内に菊形放射状になるように入れることで、花や植物を止めるところを特徴とする生け花支持具。
(57)【要約】      （修正有）【課題】窓枠が室内空気に触れることを防止し、結露発生を抑えるサッシ枠用断熱テープを提供する。【解決手段】天然木を薄くスライスした突板シート２と、金属箔３と、樹脂の発泡材からなる断熱シート４と、耐水シート５との４層構造で構成される断熱テープ１である。最外層に位置する突板シート２により外観の意匠性の向上、中層の金属箔３と断熱シート４により断熱性能の向上、下層の耐水シート５によりサッシ枠部で発生する結露に対する耐水性能の向上を図れるものである。【選択図】図１
0003216722.tif 000002
【実用新案登録請求の範囲】
【請求項１】
天然木を薄くスライスした突板シートと、金属箔と、樹脂の発泡材からなる断熱シートと、耐水シートと、からなるサッシ枠用断熱テープ。
【請求項２】
天然木を薄くスライスした突板シートと、該突板シートの一方の面に設けられた金属箔と、該金属箔の表面に設けられた樹脂の発泡材からなる断熱シートと、該断熱シートの表面に設けられた耐水シートと、からなるサッシ枠用断熱テープ。
【請求項３】
上記耐水シートの表面には、接着剤層が設けられていることを特徴とする請求項２記載のサッシ枠用断熱テープ。
【請求項４】
上記接着剤層の表面には、さらに剥離紙が設けられていることを特徴とする請求項３記載のサッシ枠用断熱テープ。
【考案の詳細な説明】
【技術分野】
【０００１】  本考案は、ガラス窓などのサッシ枠に取り付けられるサッシ枠用断熱テープに関するものである。
【背景技術】
【０００２】  サッシ窓では、外気に触れて冷やされた窓枠が室内の暖かい空気に触れると結露が発生してしまうため、窓枠において室内側に露出する露出面部に、合成樹脂等で形成された断熱性カバーを取り付けたり、樹脂の発泡シートからなる断熱テープを貼り付けて、窓枠が室内空気に触れることを防止し、結露発生を抑えるようにしたものがあった。
【先行技術文献】
【特許文献】
【０００３】
【特許文献１】特開平１１−２４７５３２号公報
【特許文献２】特開２００１−５５８７１号公報
【考案の概要】
【考案が解決しようとする課題】
【０００４】  しかしながら、上記の合成樹脂等で形成された断熱性カバーは窓枠の形状に合わせる必要があることから、既設のサッシ窓すべてに対応することは難しかった。また、発泡シートからなる断熱テープはどのような形状の窓枠にも対応することはできるものの、発泡シートのみの断熱性を利用していることから断熱性能の向上には限度があった。
【課題を解決するための手段】
【０００５】  本考案の断熱テープは、天然木を薄くスライスした突板シートと、金属箔と、樹脂の発泡材からなる断熱シートと、耐水シートとからなることを特徴とするものである。
【考案の効果】
【０００６】  上述の様に、本考案の断熱テープは、天然木を薄くスライスした突板シートと、金属箔と、樹脂の発泡材からなる断熱シートと、耐水シートとの４層構造で構成される断熱テープであることから、最外層に位置する突板シートにより外観の意匠性の向上、中層の金属箔と断熱シートにより断熱性能の向上、下層の耐水シートによりサッシ枠部で発生する結露に対する耐水性能の向上を図れるものである。
【図面の簡単な説明】
【０００７】
【図１】本考案の一例に係る断熱テープの模式的側面図
【図２】本考案の他の例に係る断熱テープの模式的側面図
【図３】本考案の第３の例に係る断熱テープの模式的側面図
【図４】本考案の断熱テープ巻物製品の模式的斜視図
【考案を実施するための形態】
【０００８】  本考案におけるサッシ枠用断熱テープは、天然木を薄くスライスした突板シートと、金属箔と、樹脂の発泡材からなる断熱シートと、耐水シートとの４層構造からなる断熱テープである。最外層の突板シートから金属箔、断熱シート、耐水シートの順に積層されていて、耐水シートの表面側を接着剤や両面テープ等でサッシ枠部分に貼り付けて使用するものである。
【０００９】  以下、添付図面に従って本考案の詳細を説明する。  図１は、本発明の実施例に係るサッシ枠用断熱テープの模式的側面図である。この断熱テープ１は、天然木を薄くスライスした突板シート２を、金属箔３と、樹脂の発泡材からなる断熱シート４と、耐水シート５の４層構造からなる断熱テープである。最外層に位置する突板シート１は、桐や杉、ヒノキ等の天然木を薄くスライスしたものであり、強度を出すためにスライスした天然木に紙やフィルムで裏打ちを施したものであってもよい。金属箔３はアルミニウム等の金属を薄く圧延したものである。断熱シート４は、ポリオレフィン（ポリエチレンやポリプロピレン等）やポリウレタン、ポリスチレン等の発泡プラスチックを薄くシート状に形成したものである（例えば、商品名「トーレペフ（登録商標）」東レ株式会社所製）。この４層からなる断熱テープ１は、図４に示すように巻き芯９に幾重にも巻回したものであってもよいし、またシート状のままであってもよい。  以上のように構成した断熱テープ１をサッシ枠に接着剤又は両面テープで取り付ける。取付けに際しては、耐水シート５側をサッシ枠の表面と隣り合うように取り付けことで、サッシ枠表面部で結露が発生しても、耐水シート５で室内側への影響を抑えることができる。  また図２に示すように、耐水シート５の表面にあらかじめ接着剤層６を形成してもよいし、更には図３に示すようにその接着剤層６の表面に剥離紙を設けてもよい。
【符号の説明】
【００１０】１  断熱テープ２  天然木を薄くスライスした突板シート３  金属箔４  断熱シート５  耐水シート６  接着剤層７  剥離紙８  巻き芯
【図１】
0003216722.tif 000003
【図２】
0003216722.tif 000004
【図３】
0003216722.tif 000005
【図４】
0003216722.tif 000006
【手続補正書】
【提出日】平成30年3月23日(2018.3.23)
【手続補正１】
【補正対象書類名】実用新案登録請求の範囲
【補正対象項目名】全文
【補正方法】変更
【補正の内容】
【実用新案登録請求の範囲】
【請求項１】
天然木を薄くスライスした突板シートと、該突板シートの一方の面に設けられた金属箔と、該金属箔の表面に設けられた樹脂の発泡材からなる断熱シートと、該断熱シートの表面に設けられた耐水シートと、からなるサッシ枠用断熱テープ。
【請求項２】
上記耐水シートの表面には、接着剤層が設けられていることを特徴とする請求項１記載のサッシ枠用断熱テープ。
【請求項３】
上記接着剤層の表面には、さらに剥離紙が設けられていることを特徴とする請求項２記載のサッシ枠用断熱テープ。
(57)【要約】      （修正有）【課題】杖を必要とする身障者や高齢者にとって、降雨時に傘をさす手を不要にし、傘の高さやシャフトの傾斜を自由に調整できるコーモリ傘身体装着ベルトを提供する。【解決手段】コーモリ傘のシャフトの２箇所に一本のゴムベルト６に対し摺動且つ固定可能な留具１、２を取付け、その位置を調整することにより傘の高さを調整する。シャフトの傾斜に対しては胴に巻いたベルト１１の留具１０、１４にシャフトを固定させ、その位置を胴回りに沿って周動させ調整する。【選択図】図６
0003216714.tif 000002
【実用新案登録請求の範囲】
【請求項１】
一本のゴムベルトの片方の端に図１に示す通り中央にすべり止めを貼りその両端に一対のスナップボタンを取付けて傘のシャフトに脱着可能にしたシャフト用留具１と当該ベルトの他方の端にシャフト用留具１と同じ構造を有するシャフト用留具２を設けたシャフト取付用ゴムベルトと図２に示す通り一本のゴムベルトの片方の端に一対のスナップボタンを両端に取付けた胴巻用留具１と当該ベルトの他方の端に胴巻用留具１と同様な構造を有し胴巻用留具１と裏返しに取付られた胴巻用留具２からなり胴の周囲に巻いて図３に示す通り傘のシャフトを挟んで留められる胴巻用ゴムベルトの２本のゴムベルトからなる傘を身体に取付可能にするコーモリ傘身体装着ベルト。
【請求項２】
前項に於けるシャフト用留具２と前項における胴巻用留具１ないし胴巻用留具２のいずれか１つに輪ゴムで図４に示すように繋いだコーモリ傘身体装着ベルト。
【考案の詳細な説明】
【技術分野】
【０００１】コーモリ傘の身体装着具
【背景技術】
【０００２】手で持つ必要のない両手自由のコーモリ傘において傘の高さやコーモリ傘の傾きの調節技術
【先行技術文献】
【特許文献】
【０００３】
【特許文献１】実用新案登録３２１３４０６号
【特許文献２】意匠登録１４２１８８２号
【非特許文献】
【０００３】なし
【考案の概要】
【考案が解決しようとする課題】
【０００４】コーモリ傘のシャフトと当該シャフトに取付けられたシャフト用留具１とシャフト用留具２とで出来たシャフト取付用ゴムベルトで図５示す輪の中に片手と頭を差入れコーモリ傘のシャフトを胸前に着装する両手自由のコーモリ傘において、傘の高さやコーモリ傘のシャフトの傾きを調整出来ものはなく、傘の骨が頭と接触し髪の乱れや、傘により視界が制限される問題がある。また、シャフトの傾き調節が出来ないため肩の一部が雨で濡れる場合がある。このようなことから傘の高さの調節とシャフトの傾きを調整可能にする必要があった。
【課題を解決するための手段】
【０００５】図１に示す通り傘のシャフト用留具１とシャフト用留具２のそれぞれの中央に設けたすべり止めがシャフトに対して外力を加えない限り、摩擦力により任意の位置に固定されるようにする。その結果、傘の高さに対してはシャフト用留具１とシャフト用留具２に外力を加えて傘のシャフトに摺動させ傘の骨に当たらないない位置に調整する。傘のシャフトの傾きに対しては胴巻用留具１と胴巻用留具２の間に傘のシャフトを図３に示す通り狭み固定し、この部分を胴回りに周動させることにより調整を可能にする。
【考案の効果】
【０００６】杖をつく歩行者にとってコーモリ傘を持つ必要が無く、傘の高さや傘の傾が変えられるようになれば傘の骨が直接頭に当たらないように出来る上、視界も広がり安全性が高まる。健常者にとっても写真撮影や乳母車や車椅子を押す人にとっても役立てることが出来る。
【図面の簡単な説明】
【０００７】
【図１】  一本のゴムベルトからなる傘のシャフト取付用ゴムベルトの留具１、留具２を示す。
【図２】  一本のゴムベルトからなる胴巻用ゴムベルトの留具１と留具２を示し留具１と留具２はゴムベルトに対し表裏の関係にある状態を示す。
【図３】  胴巻用ゴムベルトの留具１と留具２で傘のシャフトを挟着したイメージを示す
【図４】  シャフト用取付用ゴムベルトの留具２と胴巻用ゴムベルトの留具１とを輪ゴムで繋いだ状態を示す。
【図５】  コーモリ傘の取付けたシャフト用留具１及び留具２とシャフトでできた輪と胴巻用留具１と留具２でシャフトを固定したイメージを示す。
【図６】  コーモリ傘を本考案によるコーモリ傘身体装着ベルトを用いて実装した状態を示す。
【考案を実施するための形態】
【０００８】図５に示す通り、一本のゴムベルトをコーモリ傘のシャフトの２箇所に摺動可能に固定し、シャフトとゴムベルで構成される輪の中にシャフトを胸に抱えるように片手と頭を図６で示す通り頭と片手を通し、胴巻ベルトの留具１と留具２でシャフトの取っ手に近い下部を狭着し固定する。
【０００９】図４及び図６に示す通り
【産業上の利用可能性】
【０００１０】ゴムベルトやスナップボタン、留具用の皮革など調達可能なもので構成されるものであり、新たな需要が見込まれることから雇用創出につながる可能性が高い。
【符号の説明】
【０００１１】１  シャフト用留具１
２  シャフト用留具２
３  スナップボタンメス１
４  スナップボタンオス１
５  すべり止め１
６  シャフト取付用ゴムベルト
７  スナップボタンメス２
８  スナップボタンオス２
９  すべり止め２
１０  胴巻用留具１
１１  胴巻用ゴムベルト
１２  スナップボタンメス３
１３  スナップボタンオス３
１４  胴巻用留具２
１５  スナップボタンメス４
１６  スナップボタンオス４
１７  コーモリ傘のシャフト
１８  輪ゴム
１９  傘
２０  取っ手
【図１】
0003216714.tif 000003
【図２】
0003216714.tif 000004
【図３】
0003216714.tif 000005
【図４】
0003216714.tif 000006
【図５】
0003216714.tif 000007
【図６】
0003216714.tif 000008
【手続補正書】
【提出日】平成30年3月27日(2018.3.27)
【手続補正１】
【補正対象書類名】実用新案登録請求の範囲
【補正対象項目名】全文
【補正方法】変更
【補正の内容】
【実用新案登録請求の範囲】
【請求項１】
一本のゴムベルトの片方の端に中央にすべり止めを貼りその両端に一対のスナップボタンを取付けて傘のシャフトに脱着可能にしたシャフト用留具１と当該ベルトの他方の端にシャフト用留具１と同じ構造を有するシャフト用留具２を設けたシャフト取付用ゴムベルトの片方の端に一対のスナップボタンを両端に取付けた胴巻用留具１と当該ベルトの他方の端に胴巻用留具１と同様な構造を有し胴巻用留具１と裏返しに取付られた胴巻用留具２からなり胴の周囲に巻いて傘のシャフトを挟んで留められる胴巻用ゴムベルトの２本のゴムベルトからなる傘を身体に取付可能にするコーモリ傘身体装着ベルト。
【請求項２】
前記シャフト用留具２と前記胴巻用留具１ないし胴巻用留具２のいずれか１つに輪ゴムで繋いだ請求項１に記載のコーモリ傘身体装着ベルト。
(57)【要約】      （修正有）【課題】ハンガーを複数段で構成して、一揃いの複数の服を脱衣順、又は着衣順に別々に掛たり取り外す事が出来るマルチハンガーを提供する。【解決手段】複数段で構成された一揃いの服を脱衣順に掛け又は、着衣順に取り外せる事が出来る機能を持つマルチハンガーである。ズボンがずり落ちない機能としてシリンダー５ｃ内のスプリングの圧力で押えバー５ａを押し下げてズボンを押さえる装置５を有する。別々のハンガーに複数の服を掛けるので服地が重ならず擦れない、又通気性が良く防虫剤の拡散にも効果が有る。【選択図】図１
0003216719.tif 000002
【実用新案登録請求の範囲】
【請求項１】
複数段で構成された１個のハンガーに複数で一揃いの服を脱衣順に掛け又は、着衣順に取り外せる事が出来る機能を持つマルチハンガー。
【請求項２】
シリンダーの中に金属製のスプリングを内蔵し、その圧力でピストンとズボン押さえバーを押し下げズボンを固定する機能を持つズボン押え装置。
【考案の詳細な説明】
【技術分野】
【０００１】  本考案は、一揃いの服を別々に１個のハンガーに掛ける事を可能にしたハンガーに関するものである。
【背景技術】
【０００２】  現在市販されているハンガーは、服を掛ける部分が１段であるが故に一例として記述すれば、一揃いであるスーツとベスト．ワイシャツを１段のハンガーに重ねて掛たり、別々のハンガーに掛けている。
【先行技術文献】
【特許文献】
【０００３】
【特許文献１】特許２０１４−０３０６５１  Ｊ−ＰｌａｔＰａｔ
【考案の概要】
【考案が解決しようとする課題】
【０００４】  日常においてスーツ一揃いを脱衣してハンガーに掛ける場合を想定すると、スーツを脱衣したら一旦側に仮置きし、ベスト．ワイシャツを脱衣してハンガーに掛けてその上に仮置きしていたスーツを掛けている。又反対に着衣時は、スーツをハンガーから外して側に仮置きしてワイシャツ．ベストをハンガーより外して着衣し、側に仮置きしたスーツを改めて着衣する複雑な動作と手間が掛かっている。
本考案のマルチハンガーは前述の欠点を解決しょうとするものである。【０００５】  ハンガーに付属するズボン掛けの留め具は一般的に板バネ状の細い爪が両端に付いているが、細いズボンは片方しか止められない。又重いズボンはベルトも重く縫い目も厚いのでずり落ちている。
本考案のズボン掛けの留め具は鋼製スプリングの圧力とズボン押えバーをアーチ状にしてズボンの縫い目を跨ぐ構造にしてあり２カ所で押さえるので前述の欠点を解決する事ができる。
【課題を解決するための手段】
【０００６】  本考案のマルチハンガーは、複数のハンガーを一体的に構成したものである。ハンガーパイプに吊したマルチハンガーに着用しているスーツ一揃いを脱衣順に掛ける場合、まずズボンを３のズボン掛けに掛けて、次にスーツを２の下段のハンガーに掛け、最後にベスト．ワイシャツの順に１の上段のハンガー掛ける。
着衣するときは着衣順に１の上段ハンガーからワイシャツ．ベストの順に着衣し次に３のズボン掛けのズボンを着衣し、最後に２の下段のハンガーからスーツを着衣すれば複雑な動作と手間を要する事が無く脱衣と着衣ができる。
【考案の効果】
【０００７】  上述の通り、本考案のマルチハンガーは従来のハンガーのように上に着るスーツと下に着るワイシャツ等を重ねて掛けないので複雑な動作や手間が掛からず、服をハンガーに掛ける場合でも取り外す場合でもスムーズに脱衣と着衣が可能となる。
しかもスーツとワイシャツ等を別々のハンガーに掛ける場合よりハンガーを吊すスペースも半分で済む。しかも服地が重ならない事で通気や防虫の面でも効果が期待できる。
【図面の簡単な説明】
【０００８】
【図１】  本考案のマルチハンガーの実施例を示す正面図である。
【図２】  本考案のマルチハンガーのズボン押えの切り欠き断面図である。
【符号の説明】
【０００９】１  上段ハンガー
２  下段ハンガー
３  ズボン掛け
４  ハンガー吊りフック
５  ズボン押え
５ａ  ズボン押えバー
５ｂ  ピストン
５ｃ  シリンダー
５ｄ  鋼製スプリング
５ｅ  持ち上げフック
【図１】
0003216719.tif 000003
【図２】
0003216719.tif 000004
【手続補正書】
【提出日】平成30年3月22日(2018.3.22)
【手続補正１】
【補正対象書類名】実用新案登録請求の範囲
【補正対象項目名】全文
【補正方法】変更
【補正の内容】
【実用新案登録請求の範囲】
【請求項１】
複数段で構成された１個のハンガーに複数で一揃いの服を脱衣順に掛け又は、着衣順に取り外せる事が出来る機能を持つマルチハンガー。
【請求項２】
マルチハンガーは、ズボンを掛けることを目的としているのでズボンがずり落ちない機能としてスプリングの圧力でズボンを押さえる装置を有することを特徴とする請求項１に記載するマルチハンガー。
(57)【要約】      （修正有）【課題】使用済みビニール袋を棒状にして保管し、かつ散乱させず、嵩張らせずに束ねて収納する収納具を提供する。【解決手段】収納しようとする空気を抜いて棒状にしたビニール袋を開口部へのガイド１を利用して開口部２へ誘導し、開口部から本体空間部４へ収納する。ビニール袋を束として固定した保管が可能となるほか、追加でビニール袋を収納する際にも束をほどく必要がなく簡便に収納が可能となる。ビニール袋を取り出す際は本体３を片手に持ち、もう一方の手で取りだしたいビニール袋を筒の胴開口部か筒の両端のいずれかの方向に引っ張ることで取り出すことができる。【選択図】図１
0003216713.tif 000002
【実用新案登録請求の範囲】
【請求項１】
使用済みビニール袋から空気を押し出して棒状にしたものを束ねて収納できる筒状構造と筒の胴部分に棒状のビニール袋を通すことができる開口部を有することを特徴とした収納具。
【請求項２】
収納具の筒の両側か片側、あるいは収納具の筒の胴部分の開口部に脱落防止の板やブラシが取り付けられた収納具。
【考案の詳細な説明】
【技術分野】
【０００１】  本考案はビニール袋等を保管時に散乱しないように簡単に束ね、かつ取り出しやすい筒状部を有する収納具。
【背景技術】
【０００２】  スーパーマーケット等での買い物時に使用されたビニール袋を再利用するために保管する場面があるが、保管時に嵩張り、散乱しやすいという問題がある。保管時にビニール袋を簡易に整理し、かつ取り出しやすくする必要があった。
【先行技術文献】
【特許文献】
【０００３】
【特許文献１】
【特許文献２】
【非特許文献】
【０００４】
【非特許文献１】実開平０６−０６７３８５
【非特許文献２】実登３１６２３４４
【考案の概要】
【考案が解決しようとする課題】
【０００５】  スーパーマーケットなどで得るビニール袋をゴミ入れ等に再利用するためにたたんだり、袋に入れたりして保管するが、一度使用された袋をたたむには空気が入るほか、たたむ行為自体に時間と手間がかかる。また、使用した袋をたたまずに別の袋に入れて収納する際は容積が大きくなり嵩張るほか、取り出しにくく、固定されていないことから取り出しや保管時に散乱しやすい。
また、ビニール袋を紐や輪ゴムで束ねて保管する際、いずれのものも形状不安定あることからビニール袋の束からビニール袋を取り出す際やビニール袋を追加する際に注意を要し、手間がかかる。
【課題を解決するための手段】
【０００６】  ビニール袋を上下や左右に引いたり、丸めるなどして空気を押し出して棒状にした状態で束ねて保管ができる筒状構造を有する収納具で、筒の胴部分に棒状にしたビニール袋が通過できる程度の開口部を有するため、筒の胴部分から棒状のビニール袋を収納できるものとする。
また、取り出し時は筒の胴開口部か筒の両端のいずれかの方向に取り出したいビニール袋を引くことでビニール袋を取り出すことができる。
筒の胴部分からビニール袋を収納する際に、収納したい棒状のビニール袋を開口部に誘導するガイドがついていてもよい。
また、筒が円筒状の場合は転がらないように筒に転がり防止の突起等がついていてもよく、筒自体の形状は円筒以外でもよい。
収納したいビニール袋が少ない場合に筒からビニール袋が脱落しないように筒の片方か両端に脱落防止の板やブラシ等がついていてもよい。筒の胴部分の開口部にも同様に板やブラシがついていてもよい。
【考案の効果】
【０００７】  ビニール袋を束ねて保管することができ、保管時に袋を綺麗に折りたたむ等の手間がなく整理器具の側面から保管可能なため、保管の手間を減らすことができる。また、束ねることにより保管時の容積を低減でき、保管時と取り出し時の散乱を防止することができ、整理整頓に役立つ。
【図面の簡単な説明】
【０００８】
【図１】整理用具の斜め正面図で筒状部および転倒防止部、筒の胴開口部分へのガイドからなる例を示す
【図２】ビニール袋を挿入した実施例を示す
【図３】整理用具の斜め正面図で脱落防止の押さえと開口部にブラシがついている事例を示す
【考案を実施するための形態】
【０００９】  収納しようとする空気を抜いて棒状にしたビニール袋をガイドに従って筒の胴開口部を経て本体空間部に収納する。収納したビニール袋を利用する際は筒の胴開口部か筒の両端のいずれかの方向に取り出したいビニール袋を引っぱることで引き出すことができる。
【実施例】
【００１０】  以下、添付図面に従って一実施例を説明する。収納しようとする空気を抜いて棒状にしたビニール袋を１の開口部へのガイドを利用しつつ２の開口部へ誘導し、２の開口部から４の本体空間部へ収納する。保管時には６および７の脱落防止により袋が固定される。保管時の代表的形態は図２の状態となる。ビニール袋を取り出す際は３の本体を片手に持ち、もう一方の手で取りだしたいビニール袋を筒の胴開口部か筒の両端のいずれかの方向に引っ張ることで取り出すことができる。
【符号の説明】
【００１１】  １  開口部へのガイド
２  開口部／開閉可能な開口部
３  本体（胴部分）
４  本体空間部
５  転がり防止
６  開口部の脱落防止
７  脱落防止
【図１】
0003216713.tif 000003
【図２】
0003216713.tif 000004
【図３】
0003216713.tif 000005
【図４】
0003216713.tif 000006
【手続補正書】
【提出日】平成30年3月23日(2018.3.23)
【手続補正１】
【補正対象書類名】実用新案登録請求の範囲
【補正対象項目名】全文
【補正方法】変更
【補正の内容】
【実用新案登録請求の範囲】
【請求項１】
使用済みビニール袋から空気を押し出して棒状にしたものを束ねて収納できる筒状構造と筒の胴部分に棒状のビニール袋を通すことができる開口部を有することを特徴とした収納具。
【請求項２】
前期収納具の筒の両側か片側、あるいは前期収納具の筒の胴部分の開口部に脱落防止の板または突起またはブラシがとりつけられたことを特徴とした請求項１記載の収納具。
【手続補正２】
【補正対象書類名】明細書
【補正対象項目名】０００８
【補正方法】変更
【補正の内容】
【０００８】
【図１】整理用具の斜め正面図で筒状部および転倒防止部、筒の胴開口部分へのガイドからなる例を示す
【図２】ビニール袋を挿入した実施例を示す
【図３】整理用具の斜め正面図で脱落防止の押さえと開口部にブラシがついている事例を示す
【図４】角型の形状での実施例
(57)【要約】      （修正有）【課題】人体骨模型にマーキングペンで直接書き込んだり消したりすることができ、人体骨模型を用いた患者等への説明や人体骨模型を用いた学習の効果を最大限に発揮できる人体骨模型を提供する。【解決手段】人体骨模型に直接書き込んだり消したりすることが出来る様に、ホワイトボード等に使用されているコーティング剤（ウレタン樹脂）をコーティングする。【選択図】図１
0003216812.tif 000002
【実用新案登録請求の範囲】
【請求項１】
コーティング剤で人体骨模型をコーティングすることにより、マーキングペンで自由に書き消し出来る様にした人体骨模型。
【請求項２】
コーティング剤にウレタン樹脂を使用した請求項１記載の人体骨模型。
【考案の詳細な説明】
【考案の詳細な説明】
【技術分野】
【０００１】本考案は、教育用途等に使用する人体骨模型に関するものであり、人体骨等に関してよく学習出来る様にホワイトボードマーカー等で人体骨模型に直接書き込んだり、それを消したりすることが出来るノートの様な人体骨模型に関するものである。
【背景技術】
【０００２】従来より教育用途等で人体骨について学習するために人体骨模型が利用されてきた。【０００３】しかしながら、従来の人体骨模型ではホワイトボードマーカー等で直接書き込んだり消したりすることを想定しておらず、簡単に書いたり消したりすることが出来なかった。
【考案が解決しようとする課題】
【０００４】本考案は、以上のような従来の欠点に鑑み、簡単に直接人体骨模型に書き込んだり消したりすることが出来る人体骨模型を提供する事を目的としている。
【課題を解決するための手段】
【０００５】上記目的を達成する為に、ホワイトボード等で使用されているコーティング剤で人体骨模型をコーティングすることにより、ホワイトボードマーカー等で自由に書き消し出来る様にした人体骨模型を提供する。
【考案の効果】
【０００６】本考案の書き消し出来る人体骨模型は直接人体骨模型に書き消し出来るため、教育用途等に使用された時に通常の、見て、触って覚える人体骨模型よりもその学習効果を最大限に発揮させることが出来る。
【図面の簡単な説明】
【０００７】
【図１】本考案を実施するための人体骨模型である。
【図２】人体骨模型に直接ホワイトボードマーカーで書き込み、それを消している図である。
【考案を実施するための形態】
【０００８】以下、本考案の形態を図に基づいて説明する。
【実施例】
【０００９】図１は本考案を実施するための人体骨模型を示すものであり、人体骨模型、ホワイトボードマーカー等で書き消し出来る様にするためのコーティング剤によって構成されている。【００１０】本考案を利用する学習者は図２の様に人体骨模型の至る所にホワイトボードマーカー等で直接書きたい事を書き込むことが出来る。【００１１】間違った書き込みをした時、一通り学習が終了した時等に、ティッシュや布等で拭き取るだけで簡単に書き込んだものを消すことが出来る。【００１２】ノートの様に自由に人体骨模型に書き消しして学習することが出来るので、学習者の学習効果を最大限に発揮させることが出来る。
【産業上の利用可能性】
【００１３】本考案は、医療系大学等での人体骨に関する学習効果を最大限に発揮させることが出来、また、医療関係従事者が患者等に人体骨について説明する時により分かり易く伝える効果があると期待される。
【図１】
0003216812.tif 000003
【図２】
0003216812.tif 000004
(57)【要約】【課題】安価で、供給が安定しているが、用途が限られている軟らかい木材に対して、その軟らかさによる欠点を解決して、新たな木製テーブル天板としての用途を実現し、同時に、平滑な木製テーブル天板以外の選択肢を消費者に提供する。【解決手段】軟らかい木材の表面に、ダメージ加工を施し、木材表面の軟らかい木地部分を削り、硬い年輪部分を残す事で、木製テーブル天板表面と物品の接触を硬い年輪部分に限定して、接触による凹みの問題点を解決し、同時に、木目に沿った自然な凹凸のある形状は、風化した木材の様な今迄に無い独特な美観となっている。【選択図】図１
0003216845.tif 000002
【実用新案登録請求の範囲】
【請求項１】
木材の表面に、木目に沿ってワイヤーブラシによる粗い研磨（以降「ダメージ加工」と定義）を施し、木材表面の軟らかい木地部分を削り、硬い年輪部分を残す事で、風化した木材の様な木目に沿った自然な凹凸のある形状を特徴とする木製テーブル天板
【考案の詳細な説明】
【技術分野】
【０００１】  本考案は、木目に沿った自然な凹凸のある木製テーブル天板に関するものである。
【背景技術】
【０００２】  一般的な木製テーブル天板は、平滑に加工した木材に塗装を施したものである。そのため木材に一定の硬さが必要であり、軟らかい木材は木製テーブル天板には不向きとされている。その理由は、軟らかい木材表面に物品が接触したとき、木材表面に凹みが生じ、木材保護の為の塗膜が割れ、塗装の木材保護機能が消失する事にある。【０００３】  軟らかい木材は、主に熱帯に成育する針葉樹で、成育が速く、安価で、供給が安定しているが、用途が限られている。
【考案の概要】
【考案が解決しようとする課題】
【０００４】  安価で、供給が安定している軟らかい木材に対して、木製テーブル天板としての新たな用途を可能にする為、前述の問題点を解決しようとするものである。【０００５】  平滑な木製テーブル天板以外、消費者に選択の余地が無いという問題点を解決しようとするものである。
【課題を解決するための手段】
【０００６】  軟らかい木材は、木地部分こそ軟らかいものの年輪部分は硬いので、木材表面にダメージ加工を施し、木材表面の軟らかい木地部分を削り、硬い年輪部分を残して、物品の接触を硬い年輪部分に限定することで、接触による凹みの問題点を解決している。【０００７】  軟らかい木材の表面にダメージ加工を施し、木材表面の軟らかい木地部分を削り、硬い年輪部分を残す事で、風化した木材の様な木目に沿った自然な凹凸の形状になり、平滑な木製テーブル天板以外の形状を獲得している。
【考案の効果】
【０００８】  上述の様に、本考案のダメージ加工を施した木製テーブル天板は、風化した木材の様な木目に沿った自然な凹凸の形状により、安価で、供給が安定しているが、用途が限られている軟らかい木材に対して、木製テーブル天板としての新たな用途を可能にしている。【０００９】  上述の様に、本考案のダメージ加工を施した木製テーブル天板は、風化した木材の様な木目に沿った自然な凹凸の形状により、今迄に無い独特な美観となっている。
【図面の簡単な説明】
【００１０】
【図１】  本考案のダメージ加工を施した木製テーブル天板の一実施例を示す断面図である。
【考案を実施するための形態】
【００１１】  軟らかい木材に対してダメージ加工を施し、木材表面の軟らかい木地部分を削り、硬い年輪部分を残す事で、風化した木材の様な木目に沿った自然な凹凸の形状となる。
【実施例】
【００１２】  以下、図面に従って一実施例を説明する。１は平滑に加工された木製テーブル天板本体、２は硬い年輪部分、３は軟らかい木地部分、４はダメージ加工で削られた木材表面、それぞれの木目に沿ってワイヤーブラシによる粗い研摩をすることで、風化した木材の様な自然な凹凸の形状となる。
【符号の説明】
【００１３】  １  木製テーブル天板
２  硬い年輪部分
３  軟らかい木地部分
４  ダメージ加工で削られた木材表面
【図１】
0003216845.tif 000003